(57)【要約】【課題】ブラジャーにおいて、着用時に矯正した体形が着用時間の経過や身体の動作量と共にその見かけのバランスを崩すようなことがないようにする。【解決手段】バストを覆う左右一対のカップ部２と、これら両カップ部２の内側同士を相互連結するフロント部３と、両カップ部２の外側同士を被着用者の背中側を介して連結するバックベルト部４とを有し、バックベルト部４に対し、カップ部２の外側から被着用者の脇部を通る部位で被着用者の肌面向きとされる面に滑止め用凹凸１１を設けた。【選択図】図１
2006328604.tif 000002
【特許請求の範囲】
【請求項１】
バストを覆う左右一対のカップ部（２）と、これら両カップ部（２）の内側同士を相互連結するフロント部（３）と、両カップ部（２）の外側同士を被着用者の背中側を介して連結するバックベルト部（４）とを有し、バックベルト部（４）には、カップ部（２）の外側から被着用者の脇部を通る部位で被着用者の肌面向きとされる面に、滑止め用凹凸（１１）が設けられていることを特徴とするブラジャー要素。
【請求項２】
前記滑止め用凹凸（１１）は、長手方向を被着用者の身長方向に沿わせた筋（１２）と凸条（１３）とが被着用者の胴回り方向で交互に並べられることによって形成されていることを特徴とする請求項１記載のブラジャー要素。
【請求項３】
前記滑止め用凹凸（１１）は、背中側からカップ部（２）へ近づくほど凸条（１３）の長さが長くなるように形成されていることを特徴とする請求項２記載のブラジャー要素。
【請求項４】
前記滑止め用凹凸（１１）は、カップ部（２）から背中側へ向けて並ぶ凸条（１３）ごとに徐々に突出度合いが大きくなって階段面状を呈した区画を有していることを特徴とする請求項２又は請求項３記載のブラジャー要素。
【請求項５】
前記バックベルト部（４）において少なくとも被着用者の肌面向きとされる面がパイル生地によって形成されているものとなされ、前記滑止め用凹凸（１１）の凸部分は、このパイル生地のパイルのループ長を部分的に長くすることで形成されていることを特徴とする請求項１乃至請求項４のいずれかに記載のブラジャー要素。
【請求項６】
前記滑止め用凹凸（１１）は、樹脂材をドット状に付着することにより、この樹脂ドットの付着箇所と非付着箇所との混在状態として形成されていることを特徴とする請求項１記載のブラジャー要素。
【発明の詳細な説明】
【技術分野】
【０００１】
本発明は、ブラジャーをはじめ、バストを覆うカップ部を備えた衣類全般（ボディスーツ、オールイン型ブラジャー、ブラスリップ、水着、レオタード等）に対して好適に採用可能とされるブラジャー要素に関するものである。
【背景技術】
【０００２】
ブラジャーなどにおいて、着用時にバストを身体の正面中央へ向けて「寄せて」「上げる」ように矯正させるものは種々提案されており、例えばカップ部の下に設けるワイヤーの挿入位置を工夫したもの（特許文献１等参照）や、肩紐と背部ベルトとの伸縮性バランスを工夫したもの（特許文献２等参照）などが知られている。なお、これらのブラジャーにおいて提案の課題とされていたのは、主として着用感（矯正による圧迫や痛み、不快感等の解消）であった。
【特許文献１】特開平９−１５７９１１号公報
【特許文献２】特開平９−９５８０６号公報
【発明の開示】
【発明が解決しようとする課題】
【０００３】
矯正作用を期待したブラジャーを着用する際には、脇方乃至そのやや背側の肉を身体の正面中央へと寄せてゆき、カップ部近くに集まった肉はカップ部内へ入れるようにしているが、着用時間の経過や身体の動作量と共に寄せた肉がゆるみ、カップ部内から外方へ流れてゆくといった不都合な傾向となる。
こういった状況は「ブラジャーの着崩れ」というのとは観点が異なり、即ち、ブラジャーの着用位置がずれることを主な問題点とするのではなくて、矯正した体形がその見かけのバランスを崩す問題点に重点をおいたものである。それ故、着崩れの場合とは明らかに異なる点として、着用感としての違和感が本人にとって認識しにくく、にも拘わらず第三者からは比較的容易に認識されてしまう、という場合がある点を挙げることができる。
【０００４】
なお、着崩れを防止するにせよ、また矯正した体形の見かけ上のバランス崩れを防止するにせよ、例えばワイヤー、肩紐、背部ベルト等による締め付けを強くするような措置を講ずると、只でさえ既に矯正作用を強いている状況にあることから着用感を益々低下又は悪化させるおそれがあることは容易に推測できる。
本発明は、上記事情に鑑みてなされたものであって、着用時において矯正した体形が着用時間の経過や身体の動作量と共にその見かけのバランスを崩すようなことがないようにでき、しかも着用感を低下させたり悪化させたりすることがないようにできるブラジャー要素を提供することを目的とする。
【課題を解決するための手段】
【０００５】
前記目的を達成するために、本発明は次の手段を講じた。
即ち、本発明に係るブラジャー要素は、バストを覆う左右一対のカップ部と、これら両カップ部の内側同士を相互連結するフロント部と、両カップ部の外側同士を被着用者の背中側を介して連結するバックベルト部とを有したもので、バックベルト部には、カップ部の外側から被着用者の脇部を通る部位で被着用者の肌面向きとされる面に、滑止め用凹凸が設けられている。
このようなことから、着用時に、脇方乃至そのやや背側から身体の正面中央へと寄せてカップ部近くに集められた肉は、滑止め用凹凸によって移動し難くなり、そのためにカップ部内へ入れられた肉がカップ部内から外方へ流れてゆくのを防止できる。従って、着用時において矯正した体形が着用時間の経過や身体の動作量と共にその見かけのバランスを崩すような不都合を防止することができる。また、着用感を低下させたり悪化させたりするといった不都合も防止できる。
【０００６】
滑止め用凹凸は、長手方向を被着用者の身長方向に沿わせた筋と凸条とが被着用者の胴回り方向で交互に並べられることによって形成されたものとするのが好適である。
また滑止め用凹凸は、背中側からカップ部へ近づくほど凸条の長さが長くなるように形成したり、カップ部から背中側へ向けて並ぶ凸条ごとに、徐々に突出度合いが大きくなって階段面状を呈した区画を有したものとしたりすることができる。
バックベルト部において少なくとも被着用者の肌面向きとされる面は、パイル生地によって形成することができる。この場合、滑止め用凹凸の凸部分は、このパイル生地のパイルのループ長を部分的に長くすることで形成すればよい。
【０００７】
一方、滑止め用凹凸は、樹脂材をドット状に付着することにより、この樹脂ドットの付着箇所と非付着箇所との混在状態として形成することもできる。この場合、樹脂ドットの付着配置は、ランダム的なものとしてもよいし、所定の方向性を持たせつつ意図的に並べたものとしてもよい。意図的な方向性としては、例えば被着用者の身長方向に沿った列を呈するようにするものが挙げられる。
【発明の効果】
【０００８】
本発明に係るブラジャー要素は、着用時において矯正した体形が着用時間の経過や身体の動作量と共にその見かけのバランスを崩すような不都合を防止でき、しかも着用感が低下乃至悪化するといった不都合も防止できる。
【発明を実施するための最良の形態】
【０００９】
以下、本発明の実施の形態を、図面に基づき説明する。
図１及び図２は、本発明に係るブラジャー要素１の一実施形態を示している。このブラジャー要素１は、バストを覆う左右一対のカップ部２と、これら両カップ部２の内側同士を相互連結するフロント部３と、両カップ部２の外側同士を被着用者の背中側を介して連結するバックベルト部４とを有している。
本実施形態のブラジャー要素１は、それ自体がブラジャーを構成するものとして適用してある。またこのブラジャー要素１は、バックベルト部３が被着用者の背中中央でホック５によって接離自在となったタイプとしてあり、従って左側のカップ部２から左方へ延び出るものと、右側のカップ２から右方へ延び出るものとの、略同じ長さを有した２本に分離されている。
【００１０】
更にまたこのブラジャー要素１は、バックベルト部３において被着用者の背中側へまわされる箇所とカップ部２の上部との間には肩紐６が設けられたタイプとしてある。
バックベルト部３において、おおよそカップ部２の外側から被着用者の脇部を通る部位はパワーネットを使って形成されている。パワーネットは伸縮性が豊富で、且つ目が細かいネット状の編物（たて編みのラッセル編みの一種）であって、ナイロンなどにポリウレタン弾性繊維を交編して形成されているため、伸びた後の復元性（弾性）に優れている。このパワーネットの伸縮性は、被着用者に対して適度な締め付け作用を生じ、基本的に肉の移動を阻止するものとなり、しかも素材自体が持つ凹凸によって肉内部のセルライトを刺激して血流を促す効果も期待できる。
【００１１】
そしてこのパワーネットで形成された部位のうち、少なくとも被着用者の肌面向きとされる面（以下、「滑止め領域１０」と言う）に滑止め用凹凸１１が設けられている。この滑止め用凹凸１１は、長手方向を被着用者の身長方向に沿わせた筋１２と凸条１３とが被着用者の胴回り方向で交互に並べられることによって形成されている。
筋１２や凸条１３は直線的なものとすればよいが、直線的なものとすることが限定されるものではなく、例えばバストトップ位置を中心とした同心円状的な配置の円弧カーブとしてもよい。また直線的なものとする場合も、その角度が厳密に限定されるものではない。
【００１２】
凸条１３には、突出度合いが大きいもの（大凸条１３Ａ）、中程度のもの（中凸条１３Ｂ）、及び小さいもの（小凸条１３Ｃ）という三種類のものがあり、この三種類を一区画として、カップ部２から背中側へ向けて複数区画が繰り返して並べられている。
大凸条１３Ａ、中凸条１３Ｂ、小凸条１３Ｃの配置順は、カップ部２から背中側へ向けた方向で徐々に突出度合いが大きくなる順番とされており、これにより、それぞれの区画を全体として見れば階段面状を呈したものとなっている。
また滑止め用凹凸１１を複数の区画にわたる全体（滑止め領域１０の全体）として見たとき、凸条１３は、背中側からカップ部２へ近づくほどその長さが長くなるように形成されている。なお、バックベルト４は着用性との因果関係に起因して、背中側からカップ部２へ近づくほど幅広くなる形状が採用されることが多いため、この形状的な傾向を巧く利用することで、凸条１３の長さとその配置順とを所定に関係付けてあるということができる。
【００１３】
このような凸条１３は、滑止め部位１０を、編み組織の中にループが設けられたパイル生地（例えば綿糸製）で形成するものとしたうえで、パイルのループ長を大凸条１３Ａ、中凸条１３Ｂ、小凸条１３Ｃに合わせて部分的に長くすることで、実現できる。
パイル生地に使用するパイル糸を例えば５５番手の綿糸とする場合、大凸条１３Ａではループ高さを１．０ｍｍ（０．７〜１．５ｍｍが好適範囲）、中凸条１３Ｂではループ高さを０．７ｍｍ（０．５〜１．０ｍｍが好適範囲）、小凸条１３Ｃではループ高さを０．５ｍｍ（０．４〜０．７ｍｍが好適範囲）とすればよい。これら大凸条１３Ａ、中凸条１３Ｂ、小凸条１３Ｃのセットを繰り返すとして６．３行／ｃｍ程度の密集度になるようにする。
【００１４】
なお、上記のパイル糸に関する各数値は、その太さ（番手）等によってある程度、変わるが、太さの下限は、編むことのできる最細値であって且つループの突出量に伴った作用が有効となるうちで最小の値として決定され、また太さの上限は、ループの突出量に反比例して弾性が減少しても摩擦力を維持できなくなる現象には至らない限界値として決定される。
またループ長の差は、ループの輪の先端が大中小揃って顔を出す程度の値として決められる。
【００１５】
このような構成とされた本発明のブラジャー要素１を着用すると、脇方乃至そのやや背側から身体の正面中央へと寄せてカップ部２近くに集められた肉は、滑止め用凹凸によって移動し難くなり、そのためにカップ部２内へ入れられた肉がカップ部２内から外方へ流れてゆくのを防止できる。
従って、着用時において矯正した体形が着用時間の経過や身体の動作量と共にその見かけのバランスを崩すような不都合を防止できる。また、矯正作用を無理矢理高めるようなことがないので、着用感を低下させたり悪化させたりするといった不都合も防止できる。
【００１６】
本発明に係るブラジャー要素１（ブラジャー）と、これと同型・同サイズで滑止め用凹凸１１を具備しない従来のブラジャーとで、被験者、所作、着用時間を同じにした着用試験をした。その結果、従来のブラジャーでは着用直後から７時間経過後に左右のバストトップ間が平均で約５ｃｍ開いたのに対し、本発明に係るブラジャー要素１では左右のバストトップ間は殆ど開かず、着用直後と殆ど同じであることが確かめられた。
更なる確認を取るため、生地上で指紋センサーを滑らせてその滑り易さを調べる摩擦評価試験を行ったところ、本発明に係るブラジャー要素１は、従来のブラジャーに比べて約１．５倍の滑り度抑制効果が得られることが判明した。
【００１７】
ところで、滑止め用凹凸１１は上記のような筋１２と凸条１３とにより形成されたものに限らない。
例えば、樹脂材をドット状に付着することにより、この樹脂ドットの付着箇所と非付着箇所との混在状態として形成することができる。樹脂ドットの付着配置は、ランダム的なものとしてもよいし、或いは、被着用者の身長方向に沿った列を呈するように所定の方向性を持たせつつ意図的に並べたもの（イメージ的には図２とよく似た感じになる）としてもよい。
【００１８】
樹脂ドットの素材になる樹脂材としては、ポリウレタン系ホットメルト樹脂、ポリエステル系ホットメルト樹脂、ＥＶＡ系ホットメルト樹脂、ポリオレフィン系ホットメルト樹脂、スチレン系エラストマー、湿気硬化型ウレタン系ホットメルト樹脂、反応型ホットメルト樹脂等が有効である。
樹脂ドットの直径は０．７５ｍｍ程度（熱プレスによる加熱溶着を行う場合であれば溶着前の大きさは０．７ｍｍ程度にするとよい）とするのが好適である。また樹脂ドットの付着密度としては４〜２０ドット／ｃｍ程度（更に好ましくは７〜８ドット／ｃｍ）とし、生地に対する占有面積率は２５％程度とするのが好適である。
【００１９】
このような樹脂ドットによる滑止め用凹凸１１を採用したブラジャー要素１でも、図１乃至図３に示した実施形態と略同等の作用効果を得ることができる。
本発明は、上記各実施形態に限定されるものではなく、実施の形態に応じて適宜変更可能である。
バックベルト部３において、カップ部２の外側から被着用者の脇部を通る部位（滑止め用凹凸１１が設けられる滑止め領域１０のベースとなる生地）にパワーネットを使用することが限定されるわけではない。
【００２０】
バックベルト部３のホック５で接離自在にする点や肩紐６を有する点は何ら限定事項ではなく、フロントホックタイプや肩紐無しタイプとすることができ、もとより本発明に係るブラジャー要素１は、ブラジャーだけではなく、バストを覆うカップ部を備えた衣類全般（ボディスーツ、オールイン型ブラジャー、ブラスリップ、水着、レオタード等）に対して好適に採用可能である。
【図面の簡単な説明】
【００２１】
【図１】本発明に係るブラジャー要素の一実施形態を示した平面図である。
【図２】バックベルト部の裏面（被着用者の肌面へ向けられる面）から見た状態にした図を使って滑止め用凹凸を模式的に示した説明図（実際の凸条本数を正確に表した図ではない）である。
【図３】図２のＡ−Ａ線拡大断面図である。
【符号の説明】
【００２２】
１  ブラジャー要素
２  カップ部
３  フロント部
４  バックベルト部
１１  滑止め用凹凸
１２  筋
１３  凸条
【図１】
2006328604.tif 000003
【図２】
2006328604.tif 000004
【図３】
2006328604.tif 000005